(57)【要約】【課題】信号の種類をそれほど増やすことなく解像度を多段階に設定することのできるイメージセンサ、読取装置、及び解像度設定方法を提供すること。【解決手段】ＳＰ信号が立ち下がると、所定長さ（ここではＣＬＫ信号２周期分）のモード切替期間が設定され、そのモード切替期間中のＭＯＤＥ信号の変化をＣＬＫ信号に同期して読み取る。ＭＯＤＥ信号の変化の態様に基づいて、イメージデバイスに解像度を設定する。すなわち、信号変化が「Ｌ」，「Ｌ」である場合は１５０ｄｐｉを、「Ｈ」，「Ｌ」の場合は３００ｄｐｉを、「Ｌ」，「Ｈ」の場合は６００ｄｐｉを、「Ｈ」，「Ｈ」の場合は１２００ｄｐｉを、それぞれ設定する。【選択図】  図７
2004328618.tif 000002
【特許請求の範囲】
【請求項１】
光信号を電気信号に変換する複数の光電変換素子と、
当該各光電変換素子にそれぞれ対応して配置され、各光電変換素子の電荷出力部と共通の信号ラインとの間をオン−オフするチャンネルセレクトスイッチ群と、を備え、
外部より供給されるクロックパルス信号に同期しながら、上記チャンネルセレクトスイッチ群を、順次オン−オフ制御するイメージセンサであって、
解像度指定信号、解像度指定タイミング信号、及び解像度指定期間設定信号が入力されたとき、上記解像度指定期間設定信号に基づいて設定される解像度指定期間内において、解像度指定タイミング信号により設定される複数のタイミングにおける解像度指定信号のオン−オフパターンに応じて上記チャンネルセレクトスイッチ群のオン−オフ制御パターンを設定する解像度設定手段を備えることを特徴とするイメージセンサ。
【請求項２】
上記解像度指定期間は、上記解像度指定期間設定信号がオフになった後の所定期間として設定されることを特徴とする請求項１記載のイメージセンサ。
【請求項３】
更に、上記チャンネルセレクトスイッチ群のオン−オフ制御パターンを決定するシフトレジスタ群を備え、当該シフトレジスタ群は、上記解像度設定手段によって設定された解像度に応じて上記オン−オフ制御パターンを決定することを特徴とする請求項１または２記載のイメージセンサ。
【請求項４】
上記解像度設定手段による解像度の設定は、上記解像度指定タイミング信号により設定される複数のタイミングにおける上記解像度指定信号のオン−オフを２進数のデータとし、或いはオンの数により、そのデータに基づいて行われることを特徴とする請求項１〜３のいずれか一つに記載のイメージセンサ。
【請求項５】
上記解像度指定信号、解像度指定期間設定信号、及び解像度指定タイミング信号は、それぞれ外部装置から入力される、解像度を設定するための制御信号、上記シフトレジスタ群を起動するスタート信号、上記クロックパルス信号にそれぞれ対応することを特徴とする請求項３または４記載のイメージセンサ。
【請求項６】
上記スタート信号が上記解像度指定期間設定信号である場合には、当該解像度指定期間後に、上記シフトレジスタ群のオン−オフ制御が開始されることを特徴とする請求項５記載のイメージセンサ。
【請求項７】
上記解像度指定タイミング信号が上記クロックパルス信号であることを特徴とする請求項５〜６のいずれか一つに記載のイメージセンサ。
【請求項８】
上記解像度指定期間はソフトウェアの設定で任意に決定できることを特徴とする請求項５〜７のいずれか一つに記載のイメージセンサ。
【請求項９】
上記解像度設定手段にて、最大解像度以外が設定された場合は、上記シフトレジスタ群は、設定された解像度に応じて複数のチャンネルセレクトスイッチを同時にオンすることを特徴とする請求項３〜８のいずれか一つに記載のイメージセンサ。
【請求項１０】
設定すべき解像度が上記解像度指定期間の途中で一意に決定した場合、上記解像度指定期間を直ちに終了することを特徴とする請求項１〜９のいずれか一つに記載のイメージセンサ。
【請求項１１】
設定すべき解像度が、設定可能な解像度のうちで最も高い解像度でない場合、上記解像度指定期間の途中で一意に決定されることを特徴とする請求項１０に記載のイメージセンサ。
【請求項１２】
設定可能な解像度のうち低い解像度ほど上記解像度指定期間の初期で一意に決定されることを特徴とする請求項１１記載のイメージセンサ。
【請求項１３】
光信号を電気信号に変換する複数の光電変換素子と、
当該各光電変換素子にそれぞれ対応して配置され、各光電変換素子の電荷出力部と共通の信号ラインとの間をオン−オフするチャンネルセレクトスイッチ群と、を備え、
外部より供給されるクロックパルス信号に同期しながら、上記チャンネルセレクトスイッチ群を、順次オン−オフ制御するイメージセンサであって、
解像度指定信号及び解像度指定期間設定信号が入力されたとき、上記解像度指定期間設定信号に基づいて設定される解像度指定期間内における解像度指定信号の指定タイミングに応じて上記チャンネルセレクトスイッチ群のオン−オフ制御パターンを設定する解像度設定手段を備えることを特徴とするイメージセンサ。
【請求項１４】
請求項１または２記載のイメージセンサを備える読取装置において、
上記解像度指定信号を発生する解像度指定信号発生手段と、
上記解像度指定タイミング信号を発生する解像度指定タイミング信号発生手段と、
上記解像度指定期間設定信号を発生する解像度指定期間設定信号発生手段と、
読取解像度に応じて上記３つの信号発生手段を制御する制御手段と、
を備えることを特徴とする読取装置。
【請求項１５】
上記イメージセンサは、更に、上記チャンネルセレクトスイッチ群のオン−オフ制御パターンを決定するシフトレジスタ群を備え、上記解像度指定信号、解像度指定期間設定信号、及び解像度指定タイミング信号は、解像度を設定するための制御信号、上記シフトレジスタ群を起動するスタート信号、上記クロックパルス信号にそれぞれ対応することを特徴とする請求項１４記載の読取装置。
【請求項１６】
上記制御手段は、上記スタート信号がオフになった後の所定期間として設定される解像度指定期間内に、上記クロックパルス信号により設定される複数のタイミングにおける上記制御信号のオン−オフパターンで解像度を設定することを特徴とする請求項１５記載の読取装置。
【請求項１７】
上記解像度設定手段にて、最大解像度以外が設定された場合は、上記シフトレジスタ群は、設定された解像度に応じて複数のチャンネルセレクトスイッチを同時にオンすることを特徴とする請求項１５または１６記載の読取装置。
【請求項１８】
上記解像度を変更する毎に、当該イメージセンサから出力される画像信号に、上記解像度を示す解像度信号が含まれることを特徴とする請求項１４〜１７のいずれか一つに記載の読取装置。
【請求項１９】
光信号を電気信号に変換する複数の光電変換素子と、
当該各光電変換素子にそれぞれ対応して配置され、各光電変換素子の電荷出力部と共通の信号ラインとの間をオン−オフするチャンネルセレクトスイッチ群と、を備え、
外部より供給されるクロックパルス信号に同期しながら、上記チャンネルセレクトスイッチ群を、順次オン−オフ制御するイメージセンサにおける解像度設定方法であって、
解像度指定信号、解像度指定タイミング信号、及び解像度指定期間設定信号が入力されたとき、上記解像度指定期間設定信号に基づいて設定される解像度指定期間内において、解像度指定タイミング信号により設定される複数のタイミングにおける解像度指定信号のオン−オフパターンに応じて上記チャンネルセレクトスイッチ群のオン−オフ制御パターンを設定することを特徴とするイメージセンサにおける解像度設定方法。
【請求項２０】
上記解像度指定期間は、上記解像度指定期間設定信号がオフになった後の所定期間として設定されることを特徴とする請求項１９記載のイメージセンサにおける解像度設定方法。
【請求項２１】
更に、上記チャンネルセレクトスイッチ群のオン−オフ制御パターンを決定するシフトレジスタ群を備え、上記解像度指定信号、解像度指定期間設定信号、及び解像度指定タイミング信号は、それぞれ外部装置から入力される、解像度を設定するための制御信号、上記シフトレジスタ群を起動するスタート信号、上記クロックパルス信号にそれぞれ対応することを特徴とする請求項２０記載のイメージセンサにおける解像度設定方法。
【発明の詳細な説明】
【０００１】
【発明の属する技術分野】
本発明は、イメージセンサ、読取装置、及び解像度設定方法に関し、詳しくは、光信号を電気信号に変換する複数の光電変換素子を備え、各光電変換素子の電荷出力部と共通の信号ラインとの間をチャンネルセレクトスイッチ群によって順次オン−オフ制御するイメージセンサ、そのイメージセンサを備えた読取装置、及びイメージセンサにおける解像度設定方法に関する。
【０００２】
【従来の技術】
従来より、ファクシミリ、コピー機、ハンドスキャナ等の読取装置にはイメージセンサが用いられてきた。従来のイメージセンサの構成を図１４に示す。Ｐ１ａ〜Ｐ１ｅは光を検知すると電流（画像信号）を出力するフォトトランジスタなどの光電変換素子、Ｐ２は電源電圧ＶＤＤを入力する電源入力端子、Ｐ３ａ〜Ｐ３ｅは各光電変換素子Ｐ１ａ〜Ｐ１ｅの電荷出力部にそれぞれ接続されたチャンネルセレクトスイッチ、Ｐ４はスタート信号により起動され、各光電変換素子Ｐ１ａ〜Ｐ１ｅが出力する画像信号を順次（この例では、Ｐ１ａ→Ｐ１ｂ→Ｐ１ｃ→Ｐ１ｄ→Ｐ１ｅの順）共通の信号ラインＰ７を介して画像信号出力端子Ｐ１１から出力すべく、各チャンネルセレクトスイッチＰ３ａ〜Ｐ３ｅを順次（この例では、Ｐ３ａ→Ｐ３ｂ→Ｐ３ｃ→Ｐ３ｄ→Ｐ３ｅの順）クロックパルス信号の周期に合わせてオン−オフ制御するシフトレジスタ群、Ｐ４ａ〜Ｐ４ｆはシフトレジスタ、Ｐ５はスタート信号（ＳＩ）を入力するスタート信号入力端子、Ｐ６はクロックパルス信号（ＣＬＫ）を入力するクロックパルス信号入力端子である。
【０００３】
Ｐ８はスタート信号により起動された後、シフトレジスタ群Ｐ４が動作中（シフトレジスタＰ４ａにスタート信号が入力された後、シフトレジスタＰ４ｆからそのスタート信号が出力されるまでの間）”オン”の信号を連続して出力するフリップフロップ、Ｐ９は信号ラインＰ７上に挿入され、フリップフロップＰ８より”オン”の信号を受けると閉状態になるチップセレクトスイッチ、Ｐ１０は信号ラインＰ７とグランド端子Ｐ１２との間に接続され、クロックパルス信号のレベル変化に応じて開閉を繰り返すスイッチである。
【０００４】
次に、従来のイメージセンサの動作を説明する。先ず、外部からそれぞれスタート信号端子Ｐ５及びクロックパルス信号入力端子Ｐ６を介してスタート信号，クロックパルス信号がシフトレジスタ群Ｐ４に供給される。ここで、スタート信号はクロックパルス信号の２倍の周期であり、クロックパルス信号の立ち下がりエッジでシフトレジスタ群Ｐ４のシフトレジスタＰ４ａに取り込まれる。
【０００５】
次に、スタート信号を取り込んだことにより、シフトレジスタＰ４ａが起動され、その結果、シフトレジスタＰ４ａはチャンネルセレクトスイッチＰ３ａをクロックパルス信号の一周期分の時間だけ閉状態にする。これにより、光電変換素子Ｐ１ａが出力する画像信号を、信号ラインＰ７を介して画像信号出力端子Ｐ１１から出力させ、その後、そのチャンネルセレクトスイッチＰ３ａを開状態に戻すと共に、取り込んだスタート信号をシフトレジスタＰ４ｂに転送する。
【０００６】
従ってスタート信号が、シフトレジスタＰ４ｂ→Ｐ４ｃ→Ｐ４ｄ→Ｐ４ｅの順に取り込まれていくため、光電変換素子Ｐ１ｂ〜Ｐ１ｅの画像信号が順次画像信号出力端子Ｐ１１から出されることになる。また、シフトレジスタＰ４ｆからの出力は、端子Ｐ１３を介して次段のセンサＩＣのスタート信号とされる。
【０００７】
このようなイメージセンサにおいては、外部から入力されるコントロール信号を用いて、そのコントロール信号を「Ｈ」とするか「Ｌ」とするかにより光電変換素子から画像信号出力端子へ出力される電流を選択的に切替え出力し、読取における解像度を２段階に設定することが提案されている（特許文献１参照）。
【０００８】
【特許文献１】特開平５−２２７３６２号公報
【０００９】
【発明が解決しようとする課題】
しかしながら、上記の解像度設定方法では、コントロール信号が「Ｈ」の状態の時の解像度と、コントロール信号が「Ｌ」の状態の時の解像度との、２段階にしか解像度の設定ができない。これに対して、一般の読取装置では、２段階を超える多段階に解像度を設定しなければならない場合が多い。２種類，３種類，４種類，…といったように複数種類のコントロール信号を入力可能にすれば、４段階，８段階，１６段階，…といったように解像度を多段階に設定することが可能となるが、この場合、信号線をそれだけ多数設ける必要が生じてコストアップにつながる。
【００１０】
そこで、本発明は、信号の種類をそれほど増やすことなく解像度を多段階に設定することのできるイメージセンサ、読取装置、及び解像度設定方法を提供することを目的としてなされた。
【００１１】
【課題を解決するための手段及び発明の効果】
上記目的を達するためになされた請求項１記載の発明は、光信号を電気信号に変換する複数の光電変換素子と、当該各光電変換素子にそれぞれ対応して配置され、各光電変換素子の電荷出力部と共通の信号ラインとの間をオン−オフするチャンネルセレクトスイッチ群と、を備え、外部より供給されるクロックパルス信号に同期しながら、上記チャンネルセレクトスイッチ群を、順次オン−オフ制御するイメージセンサであって、解像度指定信号、解像度指定タイミング信号、及び解像度指定期間設定信号が入力されたとき、上記解像度指定期間設定信号に基づいて設定される解像度指定期間内において、解像度指定タイミング信号により設定される複数のタイミングにおける解像度指定信号のオン−オフパターンに応じて上記チャンネルセレクトスイッチ群のオン−オフ制御パターンを設定する解像度設定手段を備えることを特徴としている。
【００１２】
このように構成された本発明では、複数の各光電変換素子にそれぞれ対応して配置されたチャンネルセレクトスイッチ群を、外部より供給されるクロックパルス信号に同期しながら順次オン−オフ制御している。このため、各光電変換素子の電荷出力部が共通の信号ラインに順次接続され、その信号ラインを介して画像信号を出力することができる。
【００１３】
また、本発明では、解像度指定信号、解像度指定タイミング信号、及び解像度指定期間設定信号が入力されたとき、解像度設定手段が、次のようにして上記チャンネルセレクトスイッチ群のオン−オフ制御パターンを設定し、その制御パターンの設定によって解像度を設定する。すなわち、解像度指定期間設定信号に基づいて設定される解像度指定期間内において、解像度指定タイミング信号により設定される複数のタイミングにおける解像度指定信号のオン−オフパターンに応じて上記チャンネルセレクトスイッチ群のオン−オフ制御パターンを設定するのである。解像度指定期間内における解像度指定信号のオン−オフパターンは様々に変化させることができ、その一つ一つのパターンに対して１種類の解像度を割り当てることができるので、本発明では、信号の種類をそれほど増やすことなく解像度を多段階に設定することができる。
【００１４】
請求項２記載の発明は、請求項１記載の構成に加え、上記解像度指定期間は、上記解像度指定期間設定信号がオフになった後の所定期間として設定されることを特徴としている。
本発明では、解像度指定期間は解像度指定期間設定信号がオフになった後の所定期間として設定されているので、解像度指定期間設定信号がオフになったときに解像度設定手段が動作を開始すればよい。このため、制御が簡略化し、かつ、解像度の設定を確実にすることができる。従って、本発明では、請求項１記載の発明の効果に加えて、制御系の負荷を軽減すると共に解像度を一層確実に設定することができるといった効果が生じる。
【００１５】
請求項３記載の発明は、請求項１または２記載の構成に加え、更に、上記チャンネルセレクトスイッチ群のオン−オフ制御パターンを決定するシフトレジスタ群を備え、当該シフトレジスタ群は、上記解像度設定手段によって設定された解像度に応じて上記オン−オフ制御パターンを決定することを特徴としている。
【００１６】
本発明では、チャンネルセレクトスイッチ群のオン−オフ制御パターンを決定するシフトレジスタ群を備え、解像度設定手段によって設定された解像度に応じてオン−オフ制御パターンを決定している。このため、後述の請求項６記載の発明等のようにクロックパルス信号等を利用することにより、必要とされる信号の種類を一層良好に減らすことが可能となる。
【００１７】
請求項４記載の発明は、請求項１〜３のいずれか一つに記載の構成に加え、上記解像度設定手段による解像度の設定は、上記解像度指定タイミング信号により設定される複数のタイミングにおける上記解像度指定信号のオン−オフを２進数のデータ或いはオンの数とし、そのデータに基づいて行われることを特徴としている。
【００１８】
本発明では、解像度設定手段による解像度の設定が、解像度指定タイミング信号により設定される複数のタイミングにおける解像度指定信号のオン−オフを２進数のデータ或いはオンの数とし、そのデータに基づいて行われる。このため、上記タイミングの数を増やすことによって、設定可能な解像度の段階を容易に増やすことができる。従って、本発明では、請求項１〜３のいずれか一つに記載の発明の効果に加えて、信号の種類を増やすことなく、設定可能な解像度の段階を一層容易に増やすことができるといった効果が生じる。
【００１９】
請求項５記載の発明は、請求項３または４記載の構成に加え、上記解像度指定信号、解像度指定期間設定信号、及び解像度指定タイミング信号は、それぞれ外部装置から入力される、解像度を設定するための制御信号、上記シフトレジスタ群を起動するスタート信号、上記クロックパルス信号に対応することを特徴としている。
【００２０】
本発明では、上記解像度指定信号、解像度指定期間設定信号、及び解像度指定タイミング信号が、それぞれ外部装置から入力される上記制御信号、スタート信号、クロックパルス信号に対応する。すなわち、シフトレジスタ群の制御に不可欠なスタート信号及びクロックパルス信号に上記制御信号を加えるだけで前述のような制御が実行できる。従って、本発明では、請求項１〜４のいずれか一つに記載の発明の効果に加えて、必要とされる信号の種類を一層良好に減らして一層のコストダウンを図ることができるといった効果が生じる。
【００２１】
請求項６記載の発明は、請求項５記載の構成に加え、上記スタート信号が上記解像度指定期間設定信号である場合には、当該解像度指定期間後に、上記シフトレジスタ群のオン−オフ制御が開始されることを特徴としている。
スタート信号を解像度指定期間設定信号として使用した場合、スタート信号は解像度指定期間の前に１回オンするだけでよい。そこで、本発明では、解像度指定期間設定信号としてのスタート信号をそのままシフトレジスタ群に対するスタート信号として利用し、解像度指定期間後にシフトレジスタ群のオン−オフ制御を開始している。このため、本発明では、シフトレジスタ群の制御用にスタート信号を改めてオンとする必要がなく、請求項５記載の発明の効果に加えて、処理を一層簡略化すると共に迅速化することができるといった効果が生じる。
【００２２】
請求項７記載の発明は、請求項５〜６のいずれか一つに記載の構成に加え、上記解像度指定タイミング信号が上記クロックパルス信号であることを特徴としている。
本発明では、解像度指定タイミング信号としてクロックパルス信号を利用しているので、クロックパルス信号に同期して解像度指定信号のオン−オフを読み込めばよい。従って、本発明では、請求項５〜６のいずれか一つに記載の発明の効果に加えて、制御が一層容易になるといった効果が生じる。
【００２３】
請求項８記載の発明は、請求項５〜７のいずれか一つに記載の構成に加え、上記解像度指定期間はソフトウェアの設定で任意に決定できることを特徴としている。
このため、設定する解像度の種類（数）により、任意に期間を長くしておくことも、短くしておくこともできるため、無駄に期間終了まで、画像信号出力動作を待つ必要がないので、時間を効率よく利用できる。
【００２４】
請求項９記載の発明は、請求項３〜８のいずれか一つに記載の構成に加え、上記解像度設定手段にて、最大解像度以外が設定された場合は、上記シフトレジスタ群は、設定された解像度に応じて複数のチャンネルセレクトスイッチを同時にオンすることを特徴としている。
【００２５】
解像度の低下に伴って光電変換素子が露光される期間は短くなり、一つの電荷出力部が出力する電荷量は減少する。そこで、本発明では、最大解像度以外が設定された場合、シフトレジスタ群は設定された解像度に応じて複数のチャンネルセレクトスイッチを同時にオンする。このため、同時にオンされたチャンネルセレクトスイッチに対応する複数の電荷出力部から同時に電荷が放出され共通の信号ラインに出力されるので、画像信号の出力を維持することができる。従って、本発明では、請求項３〜８のいずれかに記載の発明の効果に加えて、画像信号の出力を一層良好に維持することができるといった効果が生じる。
【００２６】
請求項１０記載の発明は、請求項１〜９のいずれか一つに記載の構成に加え、設定すべき解像度が上記解像度指定期間の途中で一意に決定した場合、上記解像度指定期間を直ちに終了することを特徴としている。
本発明では、設定すべき解像度が解像度指定期間の途中で一意に決定した場合、解像度指定期間を直ちに終了するので、チャンネルセレクトスイッチ群のオン−オフ制御へ早期に移行することができる。従って、本発明では、請求項１〜９のいずれか一つに記載の発明の効果に加えて、画像信号の出力を早期に開始することができるといった効果が生じる。
【００２７】
請求項１１記載の発明は、請求項１０に記載の構成に加え、設定すべき解像度が、設定可能な解像度のうちで最も高い解像度でない場合、上記解像度指定期間の途中で一意に決定されることを特徴としている。
本発明では、設定すべき解像度が、設定可能な解像度のうちで最も高い解像度でない限り、上記解像度指定期間の途中で解像度が一意に決定して解像度指定期間を直ちに終了することができる。従って、本発明では、請求項１０記載の発明の効果に加えて、一層多くの解像度に対して画像信号の出力を早期に開始することができるといった効果が生じる。
【００２８】
請求項１２記載の発明は、請求項１１記載の構成に加え、設定可能な解像度のうち低い解像度ほど上記解像度指定期間の初期で一意に決定されることを特徴としている。
解像度を低く設定する場合は、使用者が読取画像の鮮明さよりも画像信号の迅速な出力を望んでいる場合が多い。本発明では、解像度が低いほど、解像度指定期間の初期で一意に決定され、延いては、画像信号の出力をより早期に開始することができる。従って、本発明では、請求項１１記載の発明の効果に加えて、使用者の要望に一層合致した態様で画像信号の出力を迅速化することができるといった効果が生じる。
【００２９】
請求項１３記載の発明は、光信号を電気信号に変換する複数の光電変換素子と、当該各光電変換素子にそれぞれ対応して配置され、各光電変換素子の電荷出力部と共通の信号ラインとの間をオン−オフするチャンネルセレクトスイッチ群と、を備え、外部より供給されるクロックパルス信号に同期しながら、上記チャンネルセレクトスイッチ群を、順次オン−オフ制御するイメージセンサであって、解像度指定信号及び解像度指定期間設定信号が入力されたとき、上記解像度指定期間設定信号に基づいて設定される解像度指定期間内における解像度指定信号の指定タイミングに応じて上記チャンネルセレクトスイッチ群のオン−オフ制御パターンを設定する解像度設定手段を備えることを特徴としている。
【００３０】
このように構成された本発明では、複数の各光電変換素子にそれぞれ対応して配置されたチャンネルセレクトスイッチ群を、外部より供給されるクロックパルス信号に同期しながら順次オン−オフ制御している。このため、各光電変換素子の電荷出力部が共通の信号ラインに順次接続され、その信号ラインを介して画像信号を出力することができる。
【００３１】
また、本発明では、解像度指定信号及び解像度指定期間設定信号が入力されたとき、解像度設定手段が、次のようにして上記チャンネルセレクトスイッチ群のオン−オフ制御パターンを設定し、その制御パターンの設定によって解像度を設定する。すなわち、上記解像度指定期間設定信号に基づいて設定される解像度指定期間内における解像度指定信号の指定タイミングに応じて上記チャンネルセレクトスイッチ群のオン−オフ制御パターンを設定するのである。解像度指定期間内における解像度指定信号の指定タイミングは様々に変化させることができ、その各種の指定タイミングに対してそれぞれ解像度を割り当てることができるので、本発明では、信号の種類をそれほど増やすことなく解像度を多段階に設定することができる。
【００３２】
請求項１４記載の発明は、請求項１または２記載のイメージセンサを備える読取装置において、上記解像度指定信号を発生する解像度指定信号発生手段と、上記解像度指定タイミング信号を発生する解像度指定タイミング信号発生手段と、上記解像度指定期間設定信号を発生する解像度指定期間設定信号発生手段と、読取解像度に応じて上記３つの信号発生手段を制御する制御手段と、を備えることを特徴としている。
【００３３】
本発明では、解像度指定信号発生手段、解像度指定タイミング信号発生手段、及び解像度指定期間設定信号発生手段を、読取解像度に応じて制御手段が制御している。そして、上記３つの信号発生手段が発生した各信号（解像度指定信号、解像度指定タイミング信号、及び解像度指定期間設定信号）は、請求項１または２記載のイメージセンサに入力される。従って、本発明では、読取解像度を制御手段に指示することによってその解像度に応じた上記３つの信号を請求項１または２記載のイメージセンサに入力することができ、そのイメージセンサを介して所望の解像度で画像を読み取ることができる。
【００３４】
請求項１５記載の発明は、請求項１４記載の構成に加え、上記イメージセンサは、更に、上記チャンネルセレクトスイッチ群のオン−オフ制御パターンを決定するシフトレジスタ群を備え、上記解像度指定信号、解像度指定期間設定信号、及び解像度指定タイミング信号は、解像度を設定するための制御信号、上記シフトレジスタ群を起動するスタート信号、上記クロックパルス信号にそれぞれ対応することを特徴としている。
【００３５】
本発明では、上記解像度指定信号、解像度指定期間設定信号、及び解像度指定タイミング信号が、それぞれ上記制御信号、スタート信号、クロックパルス信号に対応する。すなわち、シフトレジスタ群の制御に不可欠なスタート信号及びクロックパルス信号に上記制御信号を加えるだけで前述のような制御が実行できる。従って、本発明では、請求項１４記載の発明の効果に加えて、必要とされる信号の種類を一層減らして一層のコストダウンを図ることができるといった効果が生じる。
【００３６】
請求項１６記載の発明は、請求項１５記載の構成に加え、上記制御手段は、上記スタート信号がオフになった後の所定期間として設定される解像度指定期間内に、上記クロックパルス信号により設定される複数のタイミングにおける上記制御信号のオン−オフパターンで解像度を設定することを特徴としている。
【００３７】
本発明ではスタート信号がオフになった後の所定期間を解像度指定期間としている。すなわち、スタート信号を解像度指定期間設定信号としているので、そのスタート信号をシフトレジスタ群に対するスタート信号としてそのまま利用することができる。また、スタート信号をオフにしてから制御信号を入力すればよいので、制御が簡略化し、かつ、解像度の設定を確実にすることができる。
【００３８】
更に、本発明では、制御信号のオン−オフパターンを読み込むべきタイミングをクロックパルス信号によって設定している。すなわち、解像度指定タイミング信号としてクロックパルス信号を利用しているので、クロックパルス信号に同期して解像度指定信号のオン−オフを読み込めばよい。従って、本発明では、請求項１５記載の発明の効果に加えて、処理を簡略化して制御系の負荷を軽減すると共に解像度を一層確実に設定することができるといった効果が生じる。
【００３９】
請求項１７記載の発明は、請求項１５または１６記載の構成に加え、上記解像度設定手段にて、最大解像度以外が設定された場合は、上記シフトレジスタ群は、設定された解像度に応じて複数のチャンネルセレクトスイッチを同時にオンすることを特徴としている。
【００４０】
解像度の低下に伴って光電変換素子が露光される期間は短くなり、一つの電荷出力部が出力する電荷量は減少する。そこで、本発明では、最大解像度以外が設定された場合、シフトレジスタ群は設定された解像度に応じて複数のチャンネルセレクトスイッチを同時にオンする。このため、同時にオンされたチャンネルセレクトスイッチに対応する複数の電荷出力部から同時に電荷が放出され共通の信号ラインに出力されるので、画像信号の出力を維持することができる。従って、本発明では、請求項１５または１６記載の発明の効果に加えて、画像信号の出力を一層良好に維持することができるといった効果が生じる。
【００４１】
請求項１８記載の発明は、請求項１４〜１７のいずれか一つに記載の構成に加え、上記解像度を変更する毎に、当該イメージセンサから出力される画像信号に、上記解像度を示す解像度信号が含まれることを特徴としている。
本発明では、解像度を変更する毎に、当該イメージセンサから出力される画像信号に解像度を示す解像度信号が含まれるので、解像度が誤って設定された場合にはその解像度信号を参照することによりイメージセンサの外部（例えば制御手段）で検知することができる。従って、本発明では、請求項１４〜１７のいずれか一つに記載の発明の効果に加えて、イメージセンサに解像度が誤って設定された場合には、エラーメッセージを出力したり各種信号を発生し直したりするといった対応が可能となるといった効果が生じる。
【００４２】
請求項１９記載の発明は、光信号を電気信号に変換する複数の光電変換素子と、当該各光電変換素子にそれぞれ対応して配置され、各光電変換素子の電荷出力部と共通の信号ラインとの間をオン−オフするチャンネルセレクトスイッチ群と、を備え、外部より供給されるクロックパルス信号に同期しながら、上記チャンネルセレクトスイッチ群を、順次オン−オフ制御するイメージセンサにおける解像度設定方法であって、解像度指定信号、解像度指定タイミング信号、及び解像度指定期間設定信号が入力されたとき、上記解像度指定期間設定信号に基づいて設定される解像度指定期間内において、解像度指定タイミング信号により設定される複数のタイミングにおける解像度指定信号のオン−オフパターンに応じて上記チャンネルセレクトスイッチ群のオン−オフ制御パターンを設定することを特徴としている。
【００４３】
本発明の方法が適用されるイメージセンサでは、複数の各光電変換素子にそれぞれ対応して配置されたチャンネルセレクトスイッチ群を、外部より供給されるクロックパルス信号に同期しながら順次オン−オフ制御している。このため、各光電変換素子の電荷出力部が共通の信号ラインに順次接続され、その信号ラインを介して画像信号を出力することができる。
【００４４】
そこで、本発明の方法では、解像度指定信号、解像度指定タイミング信号、及び解像度指定期間設定信号が入力されたとき、次のようにして上記チャンネルセレクトスイッチ群のオン−オフ制御パターンを設定し、その制御パターンの設定によって解像度を設定することができる。すなわち、解像度指定期間設定信号に基づいて設定される解像度指定期間内において、解像度指定タイミング信号により設定される複数のタイミングにおける解像度指定信号のオン−オフパターンに応じて上記チャンネルセレクトスイッチ群のオン−オフ制御パターンを設定するのである。解像度指定期間内における解像度指定信号のオン−オフパターンは様々に変化させることができ、その一つ一つのパターンに対して１種類の解像度を割り当てることができるので、本発明では、信号の種類をそれほど増やすことなく解像度を多段階に設定することができる。
【００４５】
請求項２０記載の発明は、請求項１９記載の構成に加え、上記解像度指定期間は、上記解像度指定期間設定信号がオフになった後の所定期間として設定されることを特徴としている。
本発明では、解像度指定期間は解像度指定期間設定信号がオフになった後の所定期間として設定されているので、解像度指定期間設定信号がオフになったときに解像度指定信号の読取を開始すればよい。従って、本発明では、請求項１９記載の発明の効果に加えて、処理を一層容易にすると共に解像度を一層確実に設定することができるといった効果が生じる。
【００４６】
請求項２１記載の発明は、請求項２０記載の構成に加え、更に、上記チャンネルセレクトスイッチ群のオン−オフ制御パターンを決定するシフトレジスタ群を備え、上記解像度指定信号、解像度指定期間設定信号、及び解像度指定タイミング信号は、それぞれ外部装置から入力される、解像度を設定するための制御信号、上記シフトレジスタ群を起動するスタート信号、上記クロックパルス信号に対応することを特徴としている。
【００４７】
本発明では、チャンネルセレクトスイッチ群のオン−オフをシフトレジスタ群によって行っており、かつ、上記解像度指定信号、解像度指定期間設定信号、及び解像度指定タイミング信号が、それぞれ外部装置から入力される上記制御信号、スタート信号、クロックパルス信号に対応する。すなわち、シフトレジスタ群の制御に不可欠なスタート信号及びクロックパルス信号に上記制御信号を加えるだけで前述のように解像度を設定することができる。従って、本発明では、請求項２０記載の発明の効果に加えて、必要とされる信号の種類を一層良好に減らすことができるといった効果が生じる。
【００４８】
【発明の実施の形態】
以下に本発明のイメージセンサ、読取装置、及び解像度設定方法の実施の形態を実施例を挙げて説明する。
（実施例１）
先ず、本実施例１の読取装置１を組み込んだ複合機の全体構成を図１を用いて説明する。本実施例の複合機は、下側本体２ａに対して上側本体２ｂを開閉可能に取り付けてなるクラムシェル（ｃｌａｍ・ｓｈｅｌｌ）型の開閉構造を備えており、上側本体２ｂに読取装置１を備えている。また、上側本体２ｂの正面側には操作パネル４が設けられている。なお、複合機は、その他、画像形成装置（レーザプリンタやインクジェットプリンタ等）も備えているが、本発明とは直接関係ないのでその記載は省略する。
【００４９】
読取装置１は、図２に示すように、フラットベッド機構（ＦＢ）及び自動給紙機構（ＡＤＦ）の双方を備えるタイプのものである。この読取装置１自体も、フラットベッド部１ａに対してカバー部１ｂを開閉可能に取り付けてなるクラムシェル型の開閉構造を備えている。この読取装置１において、フラットベッド部１ａには、読取ヘッド６、第１プラテンガラスＧ１、第２プラテンガラスＧ２、白板１０等が配設され、カバー部１ｂには、原稿供給トレイ１２、原稿搬送装置１４、原稿排出トレイ１６等が設けられている。
【００５０】
読取ヘッド６は、イメージデバイス３、セルフォックレンズ１８、及び光源２０を備え、読み取り対象位置に存在する原稿に対して光源２０から光を照射し、原稿からの反射光をセルフォックレンズ１８によってイメージデバイス３に結像し、イメージデバイス３で画像を読み取るように構成されている。図２では、読取ヘッド６は待機位置にあるため、ＦＢまたはＡＤＦを用いて原稿を読み取る場合は、読取ヘッド６はそれぞれの読取開始位置へ移動することとなる。
【００５１】
次に、読取装置１の制御系の構成を図３を用いて説明する。読取装置１は、画像の読取を行うイメージデバイス（イメージセンサ）３と、イメージデバイス３の制御及びイメージデバイス３から入力される画像信号の処理を行うＡＳＩＣ５とを備えている。
【００５２】
イメージデバイス３の構成は後に詳述する。ＡＳＩＣ５は、波形生成部７（解像度指定タイミング信号発生手段、解像度指定期間設定信号発生手段）と、解像度切替信号部８（解像度指定信号発生手段）と、Ａ／Ｄ変換部９と、画像処理部１１と、ＣＰＵ１３（制御手段）とを備えている。
【００５３】
波形生成部７は、スタート信号（ＳＰ信号）及びクロックパルス信号（ＣＬＫ信号）をそれぞれ生成し、イメージデバイス３に供給する。解像度切替信号部８はＭＯＤＥ信号（解像度を指定するための制御信号）を生成してイメージデバイス３に供給する。Ａ／Ｄ変換部９は、イメージデバイス３から送出されたアナログの画像信号をデジタル信号に変換し、画像処理部１１に出力する。また、ＣＰＵ１３は、ＡＳＩＣ５の各部の制御を行う。
【００５４】
次に、イメージデバイス３の構成を図４〜図６を用いて説明する。図４において、１５は、薄膜のフォトダイオードまたは光伝導薄膜により構成される光電変換素子である。光電変換素子１５は、１２００ｄｐｉに対応する密度で、１直線上に１０３３６個配置されており、順に１画素目〜１０３３６画素目まで番号が付されている。各光電変換素子１５は、共通電極１７に接続しており、バイアス電圧ＶＤＤが印加されている。但し、図４では各光電変換素子１５に対応して電荷を蓄積するためのコンデンサは省略されている。
【００５５】
１９は光電変換素子１５にそれぞれ対応して配置され、光電変換素子１５の出力端子（電荷出力部）と、信号出力端子であるＡＯ端子２１（共通の信号ライン）との間をオン−オフするアナログスイッチ（チャンネルセレクトスイッチ）である。
【００５６】
２３は、ＳＰ信号により起動され、ＣＬＫ信号に同期しながら、アナログスイッチ１９のゲートに順次信号を出力し、アナログスイッチ１９をオンーオフ制御する出力制御部である。この出力制御部２３は、一種のシフトレジスタとして構成され、後述する解像度切替信号検出部３１及び解像度切替制御信号生成部３２と共に解像度切替部３０を構成している。そして、この解像度切替部３０では、１２００ｄｐｉ、６００ｄｐｉ、３００ｄｐｉ、１５０ｄｐｉの４種の解像度の中から指定された解像度で画像の読取を行えるように、アナログスイッチ１９のオン−オフ制御パターンを切り換えることができる。出力制御部２３の詳細な構成及び動作は後述する。
【００５７】
２５はＡＳＩＣ５の波形生成部７において生成するＳＰ信号を出力制御部２３及び後述する解像度切替信号検出部３１に入力するＳＰ端子である。
２７はＡＳＩＣ５の波形生成部７において生成するＣＬＫ信号を解像度切替信号検出部３１及び後述する解像度切替制御信号生成部３２に入力するＣＬＫ端子である。
【００５８】
２９はＡＳＩＣ５の解像度切替信号部８において生成するＭＯＤＥ信号を解像度切替信号検出部３１及び解像度切替制御信号生成部３２に入力するＭＯＤＥ端子である。
３１は、イメージデバイス３の解像度を設定するための解像度切替信号を検出する解像度切替信号検出部である。
【００５９】
３２は、解像度切替信号検出部３１が検出した解像度切替信号に基づき、解像度を切替制御するための解像度切替制御信号を生成する解像度切替制御信号生成部である。この解像度切替制御信号生成部３２は、主走査方向において１２００ｄｐｉ、６００ｄｐｉ、３００ｄｐｉ、１５０ｄｐｉの４種のいずれかの解像度に対応した信号を出力制御部２３に出力する。
【００６０】
次に、出力制御部２３の構成を図５を用いて説明する。３３は、光電変換素子１５のそれぞれに１対１で対応して配置されたフリップフロップ（Ｆ／Ｆ）である。各Ｆ／Ｆ３３には、ＣＬＫ信号が供給されている。また、１番目のＦ／Ｆ３３には、切替スイッチ３４を介してＳＰ信号が供給される。各Ｆ／Ｆ３３は、ＳＰ信号が入力されると順次起動され、ＯＲ３５を介して接続されているアナログスイッチ１９をＣＬＫ信号の１周期分の時間だけ閉状態とする。このＦ／Ｆ３３の動作により、１２００ｄｐｉの解像度が実現できる。
【００６１】
すなわち、１番目のＦ／Ｆ３３に入力されたＳＰ信号は、ＣＬＫ信号に同期して、２番目、３番目、４番目、・・・１０３３６番目のＦ／Ｆ３３に順次送られる。ＳＰ信号を受信したＦ／Ｆ３３は、それぞれ、対応する番号のアナログスイッチ１９をＣＬＫ信号の１周期分の時間だけ閉状態とするので、１番目から１０３３６番目までの光電変換素子１５は、順次、電荷をＡＯ端子２１に放出する。ＡＯ端子２１に送られる電荷は、アナログ画像信号として、ＡＳＩＣ５のＡ／Ｄ変換部９に送られる。１番目から１０３３６番目までの光電変換素子１５が電荷を放出すると、１ライン目の読取が終了する。このような読取動作を所定のライン数だけ繰り返すことにより、主走査方向１２００ｄｐｉの解像度で原稿を読み取ることになる。
【００６２】
３６は、１番目及び２番目、３番目及び４番目、・・・１０３３５番目及び１０３３６番目といったように、隣接する２個の光電変換素子１５の各組に対応して配置されたフリップフロップ（Ｆ／Ｆ）である。この各Ｆ／Ｆ３６にも、Ｆ／Ｆ３３と同様のＣＬＫ信号が供給されている。また、１番目のＦ／Ｆ３６には、切替スイッチ３４を介してＳＰ信号が供給される。各Ｆ／Ｆ３６は、ＳＰ信号が入力されると順次起動され、ＯＲ３５を介して接続されている２個のアナログスイッチ１９をＣＬＫ信号の１周期分の時間だけ同時に閉状態とする。このＦ／Ｆ３６の動作により、６００ｄｐｉの解像度が実現できる。すなわち、１番目から１０３３６番目までの光電変換素子１５は、１番目及び２番目、３番目及び４番目、・・・といったように隣接する２個ずつの光電変換素子１５が順次電荷をＡＯ端子２１に同時に放出する。ＡＯ端子２１に送られる電荷は、アナログ画像信号として、ＡＳＩＣ５のＡ／Ｄ変換部９に送られる。１番目から１０３３６番目までの光電変換素子１５が電荷を放出すると、１ライン目の読取が終了する。このような読取動作を所定のライン数だけ繰り返すことにより、主走査方向６００ｄｐｉの解像度で原稿を読み取ることになる。
【００６３】
３７は、１〜４番目、５〜８番目、・・・１０３３３〜１０３３６番目といったように、隣接する４個の光電変換素子１５の各組に対応して配置されたフリップフロップ（Ｆ／Ｆ）である。この各Ｆ／Ｆ３７にも、Ｆ／Ｆ３３，３６と同様のＣＬＫ信号が供給されている。また、１番目のＦ／Ｆ３７には、切替スイッチ３４を介してＳＰ信号が供給される。各Ｆ／Ｆ３７は、ＳＰ信号が入力されると順次起動され、ＯＲ３５を介して接続されている４個のアナログスイッチ１９をＣＬＫ信号の１周期分の時間だけ同時に閉状態とする。このＦ／Ｆ３７の動作により、３００ｄｐｉの解像度が実現できる。すなわち、１番目から１０３３６番目までの光電変換素子１５は、１〜４番目、５〜８番目、・・・といったように隣接する４個ずつの光電変換素子１５が順次電荷をＡＯ端子２１に同時に放出する。ＡＯ端子２１に送られる電荷は、アナログ画像信号として、ＡＳＩＣ５のＡ／Ｄ変換部９に送られる。１番目から１０３３６番目までの光電変換素子１５が電荷を放出すると、１ライン目の読取が終了する。このような読取動作を所定のライン数だけ繰り返すことにより、主走査方向３００ｄｐｉの解像度で原稿を読み取ることになる。
【００６４】
３８は、１〜８番目、９〜１６番目、・・・１０３２９〜１０３３６番目といったように、隣接する８個の光電変換素子１５の各組に対応して配置されたフリップフロップ（Ｆ／Ｆ）である。この各Ｆ／Ｆ３８にも、Ｆ／Ｆ３３，３６，３７と同様のＣＬＫ信号が供給されている。また、１番目のＦ／Ｆ３８には、切替スイッチ３４を介してＳＰ信号が供給される。各Ｆ／Ｆ３８は、ＳＰ信号が入力されると順次起動され、ＯＲ３５を介して接続されている８個のアナログスイッチ１９をＣＬＫ信号の１周期分の時間だけ同時に閉状態とする。このＦ／Ｆ３８の動作により、１５０ｄｐｉの解像度が実現できる。すなわち、１番目から１０３３６番目までの光電変換素子１５は、１〜８番目、９〜１６番目、・・・といったように隣接する８個ずつの光電変換素子１５が順次電荷をＡＯ端子２１に同時に放出する。ＡＯ端子２１に送られる電荷は、アナログ画像信号として、ＡＳＩＣ５のＡ／Ｄ変換部９に送られる。１番目から１０３３６番目までの光電変換素子１５が電荷を放出すると、１ライン目の読取が終了する。このような読取動作を所定のライン数だけ繰り返すことにより、主走査方向１５０ｄｐｉの解像度で原稿を読み取ることになる。
【００６５】
切替スイッチ３４は、解像度切替制御信号生成部３２から入力される解像度切替制御信号Ｑ１〜Ｑ４のいずれが「Ｈ」であるかに応じて、Ｆ／Ｆ３３，３６〜３８のいずれか一つにのみＳＰ信号を入力するように切り替えられる。また、各Ｆ／Ｆ３３，３６〜３８には切替スイッチ３９を介してバイアス電圧ＶＤＤが印加されるように構成されており、この切替スイッチ３９も、解像度切替制御信号Ｑ１〜Ｑ４に応じて、切替スイッチ３４がＳＰ信号を入力するのと同じ系列のＦ／Ｆ３３，３６〜３８に対してのみバイアス電圧ＶＤＤを印加するように切り替えられる。この切替スイッチ３９は、解像度切替制御信号Ｑ１〜Ｑ４に応じて、Ｆ／Ｆ３３，３６〜３８のいずれかをイネーブル状態にするものである。
【００６６】
次に、解像度切替信号検出部３１の構成を図６を用いて説明する。解像度切替信号検出部３１は、Ｆ／Ｆ４１、Ｆ／Ｆ４２、ラッチ４３、及びラッチ４４を備えている。Ｆ／Ｆ４１，４２にはＦ／Ｆ３３，３６〜３８と同様にＣＬＫ信号が入力され、１番目のＦ／Ｆ４１にＳＰ信号が入力されるとＣＬＫ信号に同期して出力が移り変わる。
【００６７】
また、ラッチ４３，４４は各Ｆ／Ｆ４１，４２に対応して設けられ、対応するＦ／Ｆ４１または４２が出力を行ったときのＭＯＤＥ信号をラッチする。ラッチ４３，４４がラッチしたＭＯＤＥ信号は、解像度切替信号ＭＤ１，ＭＤ２として解像度切替制御信号生成部３２へ入力される。
【００６８】
解像度切替制御信号生成部３２は、論理回路を適宜組み合わせて構成され、下記の表１に基づき、解像度切替信号ＭＤ１，ＭＤ２に対応した解像度切替制御信号Ｑ１〜Ｑ４を生成し、出力制御部２３の切替スイッチ３４，３９へ入力する。
【００６９】
【表１】
2004328618.tif 000003
【００７０】
出力制御部２３の切替スイッチ３４，３９は、解像度切替制御信号Ｑ１のみが「Ｈ」で他が「Ｌ」の場合、図５に示す「０」の端子に切り替えられる。すると、Ｆ／Ｆ３３により１２００ｄｐｉの解像度で画像の読取がなされる。他の場合も同様で、解像度切替制御信号Ｑ２のみが「Ｈ」で他が「Ｌ」の場合、切替スイッチ３４，３９は「１」の端子に切り替えられ、Ｆ／Ｆ３６による６００ｄｐｉの解像度が、解像度切替制御信号Ｑ３のみが「Ｈ」で他が「Ｌ」の場合、切替スイッチ３４，３９は「２」の端子に切り替えられ、Ｆ／Ｆ３７による３００ｄｐｉの解像度が、解像度切替制御信号Ｑ４のみが「Ｈ」で他が「Ｌ」の場合、切替スイッチ３４，３９は「３」の端子に切り替えられ、Ｆ／Ｆ３８による１５０ｄｐｉの解像度が、それぞれ実現される。また、切替スイッチ３４では、いずれかの端子に切り替えられるまで、ＳＰ信号はラッチされている。
【００７１】
このように構成された本実施例では、次のようにして解像度の切替を行うことができる。すなわち、図７のタイミングチャートに示すように、ＳＰ信号が立ち下がってからＣＬＫ信号の２周期分をモード切替期間（解像度指定期間）として設定する。この期間は、ソフトウェアの設定によって任意に設定できるものである。そして、そのモード切替期間におけるＣＬＫ信号の立ち上がりに同期してラッチされたＭＯＤＥ信号が、それぞれ「Ｌ」，「Ｌ」である場合は１５０ｄｐｉを、「Ｈ」，「Ｌ」である場合は３００ｄｐｉを、「Ｌ」，「Ｈ」である場合は６００ｄｐｉを、「Ｈ」，「Ｈ」である場合は１２００ｄｐｉを、それぞれ指定することができる。ＣＰＵ１３は、使用者による操作パネル４の操作等によって指示された解像度に基づき、解像度切替信号部８を制御し、図７に示したような適宜のＭＯＤＥ信号を生成してイメージデバイス３に供給させる。
【００７２】
このように、本実施例では、ＳＰ，ＣＬＫ，ＭＯＤＥといった３種類の信号によって、解像度を４段階に設定することができる。従って、読取装置１における信号線の数を増やすことなく、良好にコストダウンを図ることができる。しかも、本実施例では、ＳＰ信号が立ち下がった後の所定期間をモード切替期間（解像度指定期間）としているので、ＳＰ信号はそのまま出力制御部２３のスタート信号としても使用することができ、処理を一層簡略化することができる。また、本実施例では、ＳＰ信号が立ち下がった後から解像度切替信号ＭＤ１，ＭＤ２を検出しているので、解像度の設定も確実に行える。
【００７３】
なお、解像度切替信号ＭＤ１，ＭＤ２は、２進数の２桁のデータとして検出してもよい。また、解像度切替信号検出部３１におけるＦ／Ｆ及びラッチを増設すれば、モード切替期間（解像度指定期間）をＣＬＫ信号の３周期分以上に伸ばすことにより、イメージデバイス３へ供給する信号を増やすことなく更に多種類の解像度を設定することができる。
【００７４】
例えば、図８に示す実施例２では、ＣＬＫ信号の立ち上がりに同期してラッチされたＭＯＤＥ信号がそれぞれ「Ｈ」，「Ｌ」，「Ｌ」である場合は３００ｄｐｉを、「Ｌ」，「Ｈ」，「Ｌ」である場合は６００ｄｐｉを、「Ｌ」，「Ｌ」，「Ｈ」である場合は１２００ｄｐｉを、「Ｈ」，「Ｈ」，「Ｌ」である場合は１５０ｄｐｉを、「Ｌ」，「Ｈ」，「Ｈ」である場合は４００ｄｐｉを、「Ｈ」，「Ｌ」，「Ｈ」である場合は２００ｄｐｉを、「Ｈ」，「Ｈ」，「Ｈ」である場合は１００ｄｐｉを、それぞれ指定することができる。また、この実施例２では、１回目，２回目にラッチされたＭＯＤＥ信号が「Ｌ」，「Ｌ」であった場合、３回目のＭＯＤＥ信号を待たなくても１２００ｄｐｉということが一意に決定する。
【００７５】
なお、４００ｄｐｉ，２００ｄｐｉ等の解像度を実現するためには、アナログスイッチ１９を３個ずつ，６個ずつ等のように閉状態とすることができるようにＦ／Ｆまたはその他のスイッチを追加する必要があるが、このような構成は図５に基づいて容易に改変できるのでここでは詳述しない。
【００７６】
また、図９に示す実施例３のように、ＣＬＫ信号の立下りに同期してＭＯＤＥ信号をラッチしてもよい。
また、図１０に示す実施例４のように、ＣＬＫ信号の立ち上がりに同期してラッチされたＭＯＤＥ信号がそれぞれ「Ｈ」，「Ｌ」，「Ｌ」である場合は３００ｄｐｉを、「Ｈ」，「Ｈ」，「Ｌ」である場合は６００ｄｐｉを、「Ｈ」，「Ｈ」，「Ｈ」である場合は１２００ｄｐｉを、それぞれ指定する場合、更に次のような効果が生じる。すなわち、この場合、１回目が「Ｈ」で２回目が「Ｌ」であれば、その時点で解像度は３００ｄｐｉに一意に決定する。そこで、このような場合は、モード切替期間を直ちに終了し、Ｆ／Ｆ３７を起動して画像の読取を即座に開始することが可能となる。但し、ＣＬＫ信号による解像度設定のタイミングを３回としているので、この実施例４では、３種類の解像度で説明している。
【００７７】
また、実施例４のように、低解像度であるほどモード切替期間を早期に中断できるようにすれば、この効果は一層顕著となる。すなわち、解像度を低く設定する場合は、使用者が読取画像の鮮明さよりも画像信号の迅速な出力を望んでいる場合が多い。モード切替期間の初期でその解像度が一意に決定されるようにすれば、画像信号の出力をより早期に開始することができ、使用者の要望を一層適切に満足させることができる。
【００７８】
なお、上記各実施例における解像度の設定は、画像の読取におけるジョブ毎に行ってもよく、１頁につき１度のみ行ってもよい。前者の場合はジョブの読取中においては、そして、後者の場合は１頁の読取中においては、同一の解像度で出力制御部２３が制御される。
【００７９】
また、図１１に示す実施例５のように、ＣＬＫ信号の立ち上がりに同期してラッチされたＭＯＤＥ信号がそれぞれ「Ｈ」，「Ｌ」，「Ｌ」である場合は３００ｄｐｉを、「Ｌ」，「Ｈ」，「Ｌ」である場合は６００ｄｐｉを、「Ｌ」，「Ｌ」，「Ｈ」である場合は１２００ｄｐｉを、それぞれ指定しても、低解像度であるほどモード切替期間を早期に中断できる。この実施例５においても、実施例４と同様に３つの解像度で説明している。
【００８０】
次に、実施例６を図１２，図１３により説明する。なお、この実施例は、上記実施例１〜５と適宜組み合わせることも可能である。図１２に示すように、本実施例の解像度切替部３０には、図４の構成に加えて解像度確認信号生成部５１が設けられ、更に、この解像度確認信号生成部５１の出力または光電変換素子１５からの電荷放出のいずれかを選択的にＡＯ端子２１に出力する出力選択部５３を備えている。
【００８１】
解像度確認信号生成部５１は、前述のように解像度が決定して解像度切替制御信号生成部３２が解像度切替制御信号を出力制御部２３に入力したとき、その解像度切替制御信号に応じて解像度確認信号（解像度信号）を生成する。この解像度確認信号は、図１３に示すように、モード切替期間が終わってから画像信号が出力されるまでの間に設定された解像度確認信号出力期間において、Ａ，Ｂの２ビットの信号として出力される。Ａ，Ｂの値と解像度との対応関係は次の表２に示すように規定されている。
【００８２】
【表２】
2004328618.tif 000004
【００８３】
本実施例では、ＡＳＩＣ５のＣＰＵ１３は、この解像度確認信号を読み込むことにより、自身が指示した解像度がイメージデバイス３に正確に設定されたか否かを判断することができる。指示した解像度と異なる場合は、警告表示を行ったり、画像の読取を中止したり、解像度を再設定したりすることができる。
【００８４】
なお、上記各実施例において、解像度切替信号検出部３１及び解像度切替制御信号生成部３２が解像度設定手段に相当する。また、本発明は上記実施例になんら限定されるものではなく、本発明を逸脱しない範囲において種々の態様で実施しうることはいうまでもない。
【００８５】
例えば、上記各実施の形態では、モード切替期間中のＭＯＤＥ信号をＣＬＫ信号に同期して読み取っているが、ＭＯＤＥ信号をＣＬＫ信号と同期しないパルス状に入力して、カウンタ等によってその数を読み取ることにより解像度を決定してもよい。但し、ＣＬＫ信号と同期してＭＯＤＥ信号を読み込む場合、処理が一層容易になる。また、モード切替期間中にＳＰ信号を発生してそれをＭＯＤＥ信号の代わりに利用してもよく、モード切替期間中に発生されたＳＰ信号に同期してＭＯＤＥ信号を読み取ってもよい。但し、モード切替期間中に解像度設定用のＳＰ信号を発生する場合は、モード切替期間後に、出力制御部２３起動用のＳＰ信号を改めて発生するのが望ましい。
【００８６】
また、上記各実施例では、最大解像度（１２００ｄｐｉ）以外の解像度が設定された場合は複数のアナログスイッチ１９を同時にオンとしているが、オンとされるアナログスイッチ２９を１つおきなどにすることによって解像度を低減してもよい。但し、上記各実施例では、解像度に応じて複数のアナログスイッチ１９を同時にオンとするので、複数の光電変換素子１５から放出された電気信号が同時に信号ラインに送られる。そのため、最大解像度以外が設定された場合に、光電変換素子１５における光信号の受信と電気信号の出力とのサイクルが短くなり、光電変換素子１５の１個あたりの電気信号が小さくなっても、信号ラインの出力が小さくなることがなく、読み取った画像のＳ／Ｎを高く保つことができる。
【図面の簡単な説明】
【図１】実施例１における多機能装置の全体構成を表す説明図である。
【図２】実施例１における読取装置の構成を表す説明図である。
【図３】実施例１における読取装置の制御系の構成を表す説明図である。
【図４】実施例１におけるイメージデバイスの構成を表す説明図である。
【図５】実施例１における出力制御部の構成を表す説明図である。
【図６】実施例１における解像度切替信号検出部の構成を表す説明図である。
【図７】実施例１における解像度の設定を表すタイミングチャートである。
【図８】実施例２における解像度の設定を表すタイミングチャートである。
【図９】実施例３における解像度の設定を表すタイミングチャートである。
【図１０】実施例４における解像度の設定を表すタイミングチャートである。
【図１１】実施例５における解像度の設定を表すタイミングチャートである。
【図１２】実施例６におけるイメージデバイスの構成を表す説明図である。
【図１３】実施例６における解像度確認信号を表すタイミングチャートである。
【図１４】従来のイメージセンサの構成を表す説明図である。
【符号の説明】
１…読取装置            ３…イメージデバイス      ４…操作パネル
５…ＡＳＩＣ            ６…読取ヘッド            ７…波形生成部
８…解像度切替信号部    ９…Ａ／Ｄ変換部          １１…画像処理部
１３…ＣＰＵ          １４…原稿搬送装置          １５…光電変換素子
１７…共通電極        １８…セルフォックレンズ    １９…アナログスイッチ
２０…光源            ２１…ＡＯ端子              ２３…出力制御部
２９…アナログスイッチ              ３０…解像度切替部
３１…解像度切替信号検出部          ３２…解像度切替制御信号生成部
３３，３６，３７，３８，４１，４２…フリップフロップ
３４，３９…切替スイッチ            ４３，４４…ラッチ
５１…解像度確認信号生成部          ５３…出力選択部
【図１】
2004328618.tif 000005
【図２】
2004328618.tif 000006
【図３】
2004328618.tif 000007
【図４】
2004328618.tif 000008
【図５】
2004328618.tif 000009
【図６】
2004328618.tif 000010
【図７】
2004328618.tif 000011
【図８】
2004328618.tif 000012
【図９】
2004328618.tif 000013
【図１０】
2004328618.tif 000014
【図１１】
2004328618.tif 000015
【図１２】
2004328618.tif 000016
【図１３】
2004328618.tif 000017
【図１４】
2004328618.tif 000018